(57)【要約】【課題】  白金ならびにイリジウムと同様に過酸化水素に対して電流出力を生じさせることができ、安価でかつ耐久性に優れた安価な電極を提供する。【解決手段】溶液中の特定成分の濃度を測定する電気化学測定装置３に用いられる作用電極９（電気化学測定装置用電極１）は、イリジウムとジルコニウムを含む合金が用いられており、作用電極９は溶液中に含まれる特定成分を検出可能に構成されている。【選択図】      なし【特許請求の範囲】
【請求項１】
溶液中に含まれる特定成分を検出可能な組成となるようにイリジウムとジルコニウムを含有していることを特徴とする電気化学測定装置用電極。
【請求項２】
イリジウムとジルコニウムとを、過酸化水素に対して電流出力を生じさせることが可能な組成となるように含有した合金で構成されていることを特徴とする請求項１記載の電気化学測定装置用電極。
【請求項３】
前記合金は、イリジウムとジルコニウムの原子比率が９９：１〜５０：５０の範囲であることを特徴とする請求項１または２のいずれかに記載の電気化学測定装置用電極。
【請求項４】
前記合金は、イリジウムとジルコニウムの原子比率が８５：１５〜７９：２１の範囲であることを特徴とする請求項１または２のいずれかに記載の電気化学測定装置用電極。
【請求項５】
前記合金は、
イリジウム−ジルコニウム合金であることを特徴とする請求項２〜請求項４のいずれかに記載の電気化学測定装置用電極。
【請求項６】
請求項１〜５のいずれかに記載の電気化学測定装置用電極を有することを特徴とする電気化学測定装置。
【請求項７】
請求項１〜５のいずれかに記載の電気化学測定装置用電極の表面に、固定化触媒層を設けてなることを特徴とするバイオセンサ用電極。
【請求項８】
前記固定化触媒層は、固定化酵素層であり、
前記固定化酵素層は、
前記特定成分を、過酸化水素に変換可能な少なくとも１つの種類の酵素を有し、
前記固定化酵素層が変換した過酸化水素を前記電気化学測定装置用電極が検出することにより、前記特定成分を検出することを特徴とする請求項７記載のバイオセンサ用電極。
【請求項９】
前記酵素は、
乳酸酸化酵素、グルコース酸化酵素、尿酸酸化酵素、尿素酸化酵素、アルコール酸化酵素、クレアチニナーゼ、クレアチナーゼ、サルコシンオキシダーゼのうちの少なくとも１つであることを特徴とする請求項８記載のバイオセンサ用電極。
【請求項１０】
前記固定化触媒層は、固定化抗体層であり、
前記固定化抗体層は、
前記特定成分と反応可能な少なくとも１つの種類の抗体を有し、
前記固定化抗体層中の前記抗体と前記特定成分との反応により生じる電流を、前記電気化学測定装置用電極が検出することにより、前記特定成分を検出することを特徴とする請求項７記載のバイオセンサ用電極。
【請求項１１】
前記抗体は、
ダイオキシン抗体、内分泌攪乱物質の抗体、残留農薬の抗体のいずれかであることを特徴とする請求項１０記載のバイオセンサ用電極。
【請求項１２】
前記電気化学測定装置用電極を保持する絶縁基板と、
前記電気化学測定装置用電極と前記固定化触媒層の間に設けられ、かつ前記電気化学測定装置用電極を覆うように、前記絶縁基板および電気化学測定装置用電極上に設けられた結合層と、
をさらに有することを特徴とする請求項７記載のバイオセンサ用電極。
【請求項１３】
請求項７〜１２のいずれかに記載のバイオセンサ用電極を有することを特徴とするバイオセンサ。
【請求項１４】
溶液中に含まれる特定成分を検出可能な組成となるようにイリジウムとジルコニウムを含む合金を、アーク放電法、蒸着法、スパッタリング法のいずれかで製造する工程を有することを特徴とする電気化学測定装置用電極の製造方法。
【請求項１５】
前記工程は、イリジウムとジルコニウムとを、過酸化水素に対して電流出力を生じさせることが可能な組成となるように含有した合金を製造する工程であることを特徴とする請求項１４記載の電気化学測定装置用電極の製造方法。
【請求項１６】
前記工程は、イリジウムとジルコニウムの原子比率が９９：１〜５０：５０の範囲である合金を製造する工程であることを特徴とする請求項１４または１５のいずれかに記載の電気化学測定装置用電極の製造方法。
【請求項１７】
前記合金は、イリジウムとジルコニウムの原子比率が８５：１５〜７９：２１の範囲である合金を製造する工程であることを特徴とする請求項１４または１５のいずれかに記載の電気化学測定装置用電極の製造方法。
【請求項１８】
請求項１〜５のいずれかに記載の電気化学測定装置用電極の表面に固定化触媒層を設ける工程を有することを特徴とするバイオセンサ用電極の製造方法。
【請求項１９】
前記工程は、
固定化触媒層として、前記特定成分を、過酸化水素に変換可能な少なくとも１つの酵素を前記電気化学測定装置用電極の表面に固定して固定化酵素層を設ける工程であることを特徴とする請求項１８記載のバイオセンサ用電極の製造方法。
【請求項２０】
前記工程は、
乳酸酸化酵素、グルコース酸化酵素、尿酸酸化酵素、尿素酸化酵素、アルコール酸化酵素、クレアチニナーゼ、クレアチナーゼ、サルコシンオキシダーゼのうち、少なくとも１つを前記電気化学測定装置用電極の表面に固定して固定化酵素層を設ける工程であることを特徴とする請求項１９記載のバイオセンサ用電極の製造方法。
【請求項２１】
前記工程は、
固定化触媒層として、前記特定成分と反応可能な少なくとも１つの抗体を前記電気化学測定装置用電極の表面に固定して固定化抗体層を設ける工程であることを特徴とする請求項１８記載のバイオセンサ用電極の製造方法。
【請求項２２】
前記工程は、
ダイオキシン抗体、内分泌攪乱物質の抗体、残留農薬の抗体のうちのいずれかを前記電気化学測定装置用電極の表面に固定して固定化抗体層を設ける工程であることを特徴とする請求項２１記載のバイオセンサ用電極の製造方法。
【請求項２３】
請求項６記載の電気化学測定装置を用い、電流検出方式により、溶液中の過酸化水素の濃度を測定することを特徴とする測定方法。
【請求項２４】
請求項１３記載のバイオセンサを用い、電流検出方式により、溶液中の特定成分の濃度を測定することを特徴とする測定方法。
【発明の詳細な説明】
【技術分野】
【０００１】
本発明は、電気化学測定装置用電極および電気化学測定装置用電極を用いた電気化学測定装置、バイオセンサ用電極およびバイオセンサ用電極を用いたバイオセンサ、電気化学測定装置用電極の製造方法、バイオセンサ用電極の製造方法、電気化学測定装置を用いた測定方法、バイオセンサを用いた測定方法に関する。
【背景技術】
【０００２】
多種多様な溶液に含まれる各種成分の分析は、電極表面で生じる電気化学反応を測定する方法や、同反応と特定のタンパク質が持つ触媒反応とを組み合わせた測定方法が広く用いられている。
【０００３】
前述の例としては、洗浄液等に使用されている溶液中の過酸化水素濃度は、カーボン電極、あるいは白金等の貴金属電極を用い、印加時に得られる過酸化水素の酸化電流値を測定することによって算出することができる。
【０００４】
この理由は印加時に過酸化水素の濃度に応じた酸化電流が発生するためである。
【０００５】
後述の例としては、溶液中の化学物質を酵素の触媒機能により、過酸化水素に変換し、この過酸化水素を酸化還元反応により計測するバイオセンサが汎用化している。
【０００６】
具体的には、グルコースバイオセンサの場合、グルコースをグルコースオキシダーゼによって酸化すると、グルコノラクトンと過酸化水素が生成される。
【０００７】
生成される過酸化水素はグルコース濃度に比例することから、この過酸化水素の生成量を測定することによって試料中のグルコース量を定量することが可能になる。
【０００８】
この過酸化水素の生成量は、前述したように電極表面で生じる電気化学反応を測定することによって算出されている。
【０００９】
ここで、この種の電極においては、過酸化水素に対する酸化能力の高い材料として貴金属が使用される場合が多い。
【００１０】
例えば特許文献１の図１に示されている電極材料は、白金が好ましく用いられると記載されている（特許文献１）。
【００１１】
また、非特許文献１のＦｉｇｕｒｅ２に示されている作用極の材料は白金であり、両電極共に、過酸化水素に対する印加後の電流値を測定することによってグルコース量を測定するものであった（非特許文献１）。
【００１２】
さらに、非特許文献２で公開されている電極材料は酸化イリジウムである（非特許文献２）。
【００１３】
一方、貴金属以外の電極としては、例えば特許文献２に記載されているカーボン電極がある（特許文献２）。
【００１４】
【特許文献１】特開２００１−１１６７１６号公報
【特許文献２】実開平６−７０５７号公報
【非特許文献１】G.Piechotta,J.Albers and R.Hintsche”,Novel micromachined silicon sensor for continuous glucose monitoring”,Biosensors and Bioelectronics,Volume21,Issue5, Elsevier B.V,（Netherlands）,15 novemember 2005,p.802-808
【非特許文献２】Faming Tian and Guoyi Zhu,”Sol-gel derived iridium composite glucouse biosensor”,Sensors and Actuators B：Chemical,Elsevier B.V, （Netherlands）,Volume86,September 2002,p.266-270
【発明の開示】
【発明が解決しようとする課題】
【００１５】
特許文献１や非特許文献１のような白金を用いた電極は、過酸化水素の検出用電極およびそれを用いた電気化学測定装置やバイオセンサ用の電極としては有用である。
【００１６】
しかしながら、白金を電極材料に用いて製作された電流検出型の過酸化水素センサの場合においては、白金は希少金属であるために、非常に高価になってしまうという問題があった。
【００１７】
一方で、非特許文献２のように、イリジウムを電極材料に用いた場合、白金よりも安価であるものの、さらにコストを下げる工夫が要求されている。
【００１８】
他方で、特許文献２のようなカーボンを電極材料に用いて製作された同センサの場合においては、材料費が安価であるが、電極の安定性が低く、長期間の使用に耐えられないという問題があった。
【００１９】
この傾向は特に酵素電極に用いた場合顕著に認められ、安定して高い測定精度を維持することは極めて困難であった。
【００２０】
また、カーボン電極は貴金属と比べて損傷しやすいため、カーボンが剥離するなどの損傷が生じないような、慎重な取り扱いが要求されるという問題もあった。
【００２１】
本発明は上記理由に鑑みてなされたものであり、その目的は、白金、イリジウムならびにカーボンの代替材料を用いた電気化学測定装置用電極を提供することである。
【００２２】
より詳しくは、白金ならびにイリジウムと同様に溶液に含まれる特定成分に対して電流出力を生じさせることができ、安価でかつカーボンよりも耐久性に優れた安価な電気化学測定装置用電極、およびこれを用いて製作される電気化学測定装置、並びに電気化学測定装置用電極を用いたバイオセンサ用電極、バイオセンサ用電極を用いたバイオセンサを提供することである。
【課題を解決するための手段】
【００２３】
前述した目的を達成するために、第１の発明は、溶液中に含まれる特定成分を検出可能な組成となるようにイリジウムとジルコニウムを含有していることを特徴とする電気化学測定装置用電極である。
【００２４】
第２の発明は、第１の発明に記載の電気化学測定装置用電極を有することを特徴とする電気化学測定装置である。
【００２５】
第３の発明は、第１の発明に記載の電気化学測定装置用電極の表面に、固定化触媒層を設けてなることを特徴とするバイオセンサ用電極である。
【００２６】
第４の発明は、第３の発明に記載のバイオセンサ用電極を有することを特徴とするバイオセンサである。
【００２７】
第５の発明は、溶液中に含まれる特定成分を検出可能な組成となるようにイリジウムとジルコニウムを含む合金を、アーク放電法、蒸着法、スパッタリング法のいずれかで製造する工程を有することを特徴とする電気化学測定装置用電極の製造方法である。
【００２８】
第６の発明は、第１の発明に記載の電気化学測定装置用電極の表面に固定化触媒層を設ける工程を有することを特徴とするバイオセンサ用電極の製造方法である。
【００２９】
第７の発明は、第２の発明に記載の電気化学測定装置を用い、電流検出方式により、溶液中の過酸化水素の濃度を測定することを特徴とする測定方法である。
【００３０】
第８の発明は、第４の発明に記載のバイオセンサを用い、電流検出方式により、溶液中の特定成分の濃度を測定することを特徴とする測定方法である。
【発明の効果】
【００３１】
本発明によれば、白金、イリジウムならびにカーボンの代替材料を用いた電気化学測定装置用電極を提供することができる。
【発明を実施するための最良の形態】
【００３２】
以下、図面に基づいて本発明に好適な実施形態を詳細に説明する。
【００３３】
まず、図１を参照して、本発明の第１の実施形態に係る電気化学測定装置用電極１を有する電気化学測定装置３の構成を説明する。
【００３４】
ここでは、電気化学測定装置３として、溶液１５中に含まれる特定成分としての過酸化水素の濃度を測定する電気化学測定装置が例示されている。
【００３５】
図１に示された電気化学測定装置３は、溶液１５中の過酸化水素を酸化する作用電極９（電気化学測定装置用電極１）、電位の基準となる電極である参照電極５、および必要に応じて設けられる対極７を有している。
【００３６】
さらに、電気化学測定装置３は、測定の際の電位の印加等の制御および酸化電流を計測して過酸化水素濃度の測定を行う測定装置１３、各電極と測定装置１３を接続する配線１１を有している。
【００３７】
電気化学測定装置３は、作用電極９、対極７、参照電極５を過酸化水素を含む溶液１５中に浸漬し、測定装置１３を介して定電位を印加し、作用電極９の表面で過酸化水素が酸化される際に得られる酸化電流の値を測定することにより、溶液１５中の過酸化水素濃度を測定する装置である。
【００３８】
即ち、電気化学測定装置３は、電流検出方式により、溶液中の過酸化水素の濃度を測定する。
【００３９】
ここで、前述の通り、作用電極９は、白金ならびにイリジウムと同様に過酸化水素に対して電流出力を生じさせることができ、安価で、かつ、カーボンよりも耐久性に優れた構造、材料であることが望ましい。
【００４０】
上記問題に対して、発明者らは鋭意検討の結果、電極に、少なくともイリジウムとジルコニウムを含み、かつ、イリジウムとジルコニウムとを、過酸化水素に対して電流出力を生じさせることが可能な組成となるように含有した合金を用いることにより、白金やイリジウムのみを用いた電極よりも安価で、かつ、カーボンを用いた電極よりも耐久性に優れた電極とすることが可能であることを見出した。
【００４１】
以下、合金中の各物質についてより詳細に説明する。
【００４２】
イリジウムは、過酸化水素に対する高い酸化力を有し、かつ従来の作用電極の材料として用いられる白金と比べて、安価で加工性に優れた材料であり、かつカーボンよりも耐久性があり、溶液１５中の過酸化水素を酸化するために必須である。
【００４３】
ジルコニウムは白金やイリジウムと比べて安価な元素であり、かつ、カーボンよりも耐久性があり、必須である。
【００４４】
ここで、合金中のジルコニウムの含有率は、合金中のイリジウムとジルコニウムの原子比率が９９：１〜５０：５０の範囲であることが望ましく、８５：１５〜７９：２１の範囲であることがより望ましい。
【００４５】
上記組成範囲外では、十分な過酸化水素に対する選択性が得られなくなり、電位窓が狭まるという問題を生じる。
【００４６】
これは、イリジウムとジルコニウムの比率によって、酸化性や電位窓が影響を受けるためであると考えられる。
【００４７】
なお、合金をイリジウムとジルコニウムのみで構成してもよい。
【００４８】
上記合金は、例えばアーク放電法、蒸着法、スパッタリング法によって製造されるが、材料を無駄なく利用できる点において、アーク放電法によって製造されるのが好ましい。
【００４９】
なお、参照電極５としては公知の電極を用いることができ、例えばガラス複合電極が挙げられる。
【００５０】
また、対極７としても公知の電極を用いることができ、例えば白金電極が挙げられる。
【００５１】
ここで、電気化学測定装置３を用いた、溶液１５中の過酸化水素の濃度の測定方法について詳細に説明する。
【００５２】
まず、作用電極９、対極７、参照電極５を、過酸化水素を含まない溶液１５中に浸漬する。
【００５３】
各電極が溶液１５中に浸漬されると、測定装置１３を用いて定電位を印加し、電流値が定常状態になってから過酸化水素を添加する。
【００５４】
電位の印加により、作用電極９の表面では過酸化水素が酸化され、酸化電流が生じる。
【００５５】
測定装置１３は定常状態の電流値から酸化電流の差を元に、溶液１５中の過酸化水素濃度を算出する。
【００５６】
溶液１５に過酸化水素が添加された溶液としては、例えば食品製造に用いられる洗浄液が該当する。
【００５７】
このように、第１の実施形態によれば、電気化学測定装置３は、作用電極９、対極７、参照電極５、測定装置１３を有し、作用電極９は、イリジウムとジルコニウムを含み、かつ、イリジウムとジルコニウムとを、過酸化水素に対して電流出力を生じさせることが可能な組成となるように含有した合金が用いられている。
【００５８】
そのため、作用電極９は、白金やイリジウムのみを用いた電極よりも安価で、かつ、カーボンを用いた電極よりも耐久性に優れており、白金、イリジウム、カーボン電極の代替電極として用いることができる。
【００５９】
次に、第２の実施形態について、図２を参照して説明する。
【００６０】
第２の実施形態は、第１の実施形態において、作用電極９ａを、表面が固定化触媒層６で覆われたバイオセンサ用電極４とし、装置全体をバイオセンサ３ａとしたものである。
【００６１】
なお、第２の実施形態において、第１の実施形態と同様の効果を奏する要素については同一の番号を付し、説明を省略する。
【００６２】
図２（ａ）に示すように、バイオセンサ３ａの構成は電気化学測定装置３と同様であるが、表面が固定化触媒層６で覆われた作用電極９ａ（バイオセンサ用電極４）を有している。
【００６３】
さらに、バイオセンサ３ａは、測定の際の電位の印加等の制御および酸化電流を計測して、測定対象物質の濃度を測定する測定装置１３ａを有している。
【００６４】
図２（ｂ）に示すように、バイオセンサ用電極４は、電気化学測定装置用電極１と、電気化学測定装置用電極１の表面に設けられた固定化触媒層６を有している。
【００６５】
電気化学測定装置用電極１の構造、組成は、第１の実施形態に係る電気化学測定装置用電極１と同様であり、イリジウムとジルコニウムを含み、かつ、イリジウムとジルコニウムとを、過酸化水素に対して電流出力を生じさせることが可能な組成となるように含有した合金が用いられている。
【００６６】
固定化触媒層６は、例えば固定化酵素層または固定化抗体層である。
【００６７】
固定化酵素層は、測定対象物質を過酸化水素に変換する酵素を含む層である。
【００６８】
固定化触媒層６が固定化酵素層の場合、バイオセンサ３ａは、固定化触媒層６の酵素が測定対象物質を過酸化水素に変換し、得られた過酸化水素が電気化学測定装置用電極１の表面で酸化される際に生じる酸化電流を測定することにより、溶液１５ａ中の測定対象物質の濃度を測定することができる。
【００６９】
即ち、バイオセンサ３ａは、電流検出方式により、溶液中の過酸化水素の濃度を測定することにより、溶液中の測定対象物質の濃度を測定することができる。
【００７０】
酵素としては、測定対象物質の触媒反応の生成物として過酸化水素を生成する、または酸素を消費する酵素である必要があり、測定対象物質に応じて乳酸酸化酵素、グルコース酸化酵素、尿酸酸化酵素、尿素酸化酵素、アルコール酸化酵素等が用いられる。
【００７１】
また、２種類以上の酵素を同時に用いてもよい。例えば、クレアチニナーゼ、クレアチナーゼ、およびサルコシンオキシダーゼがこれに該当する。
【００７２】
これらの酵素を用いることによってクレアチニンの検出が可能になる。
【００７３】
さらに、酵素と補酵素を含んでいてもよい。
【００７４】
酵素を電気化学測定装置用電極１の表面に固定する方法としては、公知の方法を用いることができるが、例えば架橋反応を利用したものが挙げられる。
【００７５】
具体的には、酵素溶液、グルタルアルデヒド等の蛋白質の架橋剤、およびアルブミン等のタンパク質を含む溶液を、電気化学測定装置用電極１の表面に滴下することにより電気化学測定装置用電極１の表面に酵素が固定され、固定化触媒層６としての固定化酵素層が形成される。
【００７６】
一方、固定化触媒層６が固定化抗体層の場合、抗体と溶液中の抗原とが反応する際に電子の授受が行われるため、バイオセンサ３ａは、その際に例えば方形波ボルタンメトリ測定を行うことにより、この電子の授受に起因して生じる電流を測定することができ、溶液中の特定物質の濃度を測定することができる。
【００７７】
抗体としては、測定対象物質に応じて、ダイオキシン抗体、内分泌攪乱物質の抗体、残留農薬の抗体等の抗体を用いる。
【００７８】
また、抗体の固定方法としては、例えば、電気化学測定装置用電極１の表面にカルボキシル基を導入後、アミノカップリング薬処理後に抗体を固定化して、固定化抗体層を形成する方法が挙げられる。
【００７９】
なお、固定化触媒層６は酵素を含む場合、測定対象物質を過酸化水素に変換する機能を持つ構成、抗体を含む場合、特定の印加電位において電子の授受が発生し、出力として電流値を生じる構成であれば、特に限定されない。
【００８０】
ここで、バイオセンサ３ａを用いた溶液１５ａ中の測定対象物質の濃度の測定方法について詳細に説明する。
【００８１】
まず、作用電極９ａ、対極７、参照電極５を、測定対象物質を含まない溶液１５ａ中に浸漬する。
【００８２】
ここで、固定化触媒層６が固定化酵素層の場合は、各電極が溶液１５ａ中に浸漬されると、測定装置１３ａを介して定電位を印加し、定常状態になってから測定対象物質を添加する。
【００８３】
各電極が測定対象物質が添加された溶液１５ａ中に浸漬されると、溶液１５ａ中の測定対象物質は作用電極９ａの固定化酵素層と接触し、触媒反応により、過酸化水素に変換される。
【００８４】
得られた過酸化水素は、電位の印加により、作用電極９ａの電気化学測定装置用電極１の表面で酸化され、酸化電流が生じる。
【００８５】
測定装置１３ａは酸化電流から定常状態の電流値の差から過酸化水素濃度を算出する。
【００８６】
さらに、測定装置１３ａは測定した過酸化水素濃度をもとに、溶液１５ａ中の測定対象物質の濃度を測定する。
【００８７】
なお、固定化触媒層２が固定化抗体層の場合は、各電極が溶液１５ａ中に浸漬されると、抗体と測定対象物質が反応するため、測定装置１３ａを介して、方形波ボルタンメトリ法にて、反応により得られる電流値を測定し、電流値をもとに、溶液１５ａ中の測定対象物質の濃度を測定する。
【００８８】
このように、第２の実施形態によれば、バイオセンサ３ａは、作用電極９ａ、対極７、参照電極５、測定装置１３ａを有し、作用電極９ａの電気化学測定装置用電極１は、イリジウムとジルコニウムを含む合金が用いられており、上記合金は過酸化水素に対して電流出力を生じさせることが可能な組成となっている。
【００８９】
そのため、第１の実施形態と同様の効果を奏する。
【００９０】
次に、第３の実施形態について図３および図４を参照して説明する。
【００９１】
第３の実施形態におけるバイオセンサ３ｂは、第２の実施形態において、電気化学測定装置用電極１を絶縁基板２３上に設け、電気化学測定装置用電極１と固定化触媒層６の間に結合層２４をさらに設けて作用電極２５ａ（バイオセンサ用電極４ａ）を構成したものである。
【００９２】
図３および図４に示すように、作用電極２５ａ（バイオセンサ用電極４ａ）は絶縁基板２３、絶縁基板２３の表面に設けられた電気化学測定装置用電極１を有している。
【００９３】
また、図４に示すように、作用電極２５ａ（バイオセンサ用電極４ａ）は、図４における電気化学測定装置用電極１の上方に固定化触媒層６が設けられている。
【００９４】
さらに、作用電極２５ａは、電気化学測定装置用電極１と固定化触媒層６の間に設けられ、かつ電気化学測定装置用電極１を覆うように絶縁基板２３および電気化学測定装置用電極１上に設けられた結合層２４を有している。
【００９５】
結合層２４上には、固定化触媒層６が設けられている。
【００９６】
なお、電気化学測定装置用電極１、固定化触媒層６、結合層２４で電極部１０を構成している。
【００９７】
絶縁基板２３は電極部１０を保持する部材であり、耐水性、耐熱性、耐薬品性、絶縁性および電気化学測定装置用電極１との密着性に優れた材料であることが好ましい。
【００９８】
このような要件を満たす材料としては、例えばセラミックス、ガラス、石英、プラスチックスが挙げられる。
【００９９】
結合層２４は、固定化触媒層６と絶縁基板２３および電気化学測定装置用電極１との密着性（結合性）を向上させるために設けられるものである。
【０１００】
また、結合層２４は、絶縁基板２３の表面のぬれ性を改善し、固定化触媒層６を形成する際の膜厚の均一性を向上させる効果も有している。
【０１０１】
結合層２４を構成する材料としては、例えばシランカップリング剤が挙げられる。
【０１０２】
シランカップリング剤の種類としては、アミノシラン、ビニルシラン、エポキシシランが挙げられるが、このうち、密着性の観点から、アミノシランの一種であるγ−アミノプロピルトリエトキシシランがより好ましい。
【０１０３】
結合層２４は例えばシランカップリング剤溶液をスピンコートすることにより絶縁基板２３および電気化学測定装置用電極１上に形成することができる。
【０１０４】
この際、シランカップリング剤濃度は１ｖ／ｖ％（体積／体積％）程度とすることが好ましい。この濃度であれば、アルコキシル基が十分に水和し、十分な密着性が発揮されるからである。
【０１０５】
なお、図４では一枚の絶縁基板２３上に１つの電極部１０が設けられているが、一枚の絶縁基板２３上に複数の電極部１０を設けてもよい。
【０１０６】
また、図３では対極７および参照電極５も別々の絶縁基板２３上に形成されているが、全ての電極を一枚の絶縁基板２３上に形成してもよい。
【０１０７】
ここで、作用電極２５ａの製造方法について、簡単に説明する。
【０１０８】
まず、絶縁基板２３上に、電気化学測定装置用電極１を蒸着法、またはスパッタリング法等を用いて設ける。
【０１０９】
次に、絶縁基板２３および電気化学測定装置用電極１上に、電気化学測定装置用電極１を覆うようにして結合層２４をスピンコートにより設ける。
【０１１０】
次に、結合層２４上に、酵素溶液、グルタルアルデヒド等の蛋白質の架橋剤、およびアルブミンを含む溶液を、滴下することにより固定化触媒層６としての固定化酵素層が形成され、作用電極２５ａが完成する。
【０１１１】
なお、バイオセンサ３ｂを用いた、溶液中１５ａ中の測定対象物質の濃度の測定方法については、第２の実施形態と同様であるため、説明を省略する。
【０１１２】
このように、第３の実施形態によれば、バイオセンサ３ｂは、作用電極２５ａ、対極７、参照電極５、測定装置１３ａを有し、作用電極２５ａの電気化学測定装置用電極１は、イリジウムとジルコニウムを含む合金が用いられており、上記合金は過酸化水素に対して電流出力を生じさせることが可能な組成となっている。
【０１１３】
そのため、第２の実施形態と同様の効果を奏する。
【０１１４】
また、第３の実施形態によれば、作用電極２５ａは、電気化学測定装置用電極１を絶縁基板２３上に設け、電気化学測定装置用電極１と固定化触媒層６の間に結合層２４をさらに設けた構造を有している。
【０１１５】
そのため、第２の実施形態と比較して、固定化触媒層６と電気化学測定装置用電極１との密着性（結合性）を向上させることができ、また、固定化触媒層６を形成する際の膜厚の均一性を向上させることができる。
【実施例】
【０１１６】
次に、具体的な実施例に基づき、本発明をさらに詳細に説明する。
【０１１７】
（実施例１）
図１に示す電気化学測定装置３をイリジウム−ジルコニウム合金の電極を用いて作製し、指示電解質溶液に対するサイクリックボルタンメトリ測定を行い、イリジウムおよびジルコニウムのみで構成された電極を用いた場合と比較した。
【０１１８】
まず、作用電極９（電気化学測定装置用電極１）の製作を以下のように行った。
【０１１９】
はじめに、イリジウムパウダとジルコニウム（共にフルウチ化学社製）を用意し、アーク放電によってイリジウム−ジルコニウム合金およびイリジウム、ジルコニウム単体のサンプルを製造した。
【０１２０】
具体的には、イリジウムとジルコニウムの原子比率が１００：０、９８：２、９６：４、８５：１５、７９：２１、０：１００の６種類のサンプルを製造した。
【０１２１】
次に、製造したサンプルを、プリント配線が施されたフレキシブル基板に接着剤を用いて固定化し、ワイヤボンデングによって結線した後、信越化学社製のシリコーン封止剤で防水処理を施し、作用電極９（電気化学測定装置用電極１）とした。
【０１２２】
なお、作用電極９の電極面積は８ｍｍ２（８×１０−６ｍ２）とした。
【０１２３】
次に、参照電極５として既存のガラス複合電極（東亞ディーケーケー（株）社製、ＧＳＴ−５７４１Ｃ）を用意し、対極７として既存の白金電極（ＢＡＳ社製、００２２３３）を用意した。
【０１２４】
次に、溶液１５として、指示電解質溶液（１００ｍＭ（１００ｍｏｌ／ｍ３）のエヌ−トリス（ハイドロキシ−メチル）−メチル−２−アミノエタンサルフォニックアシッド（同仁化学研究所製ｐＨ緩衝液、ｐＨを７に調整済み、１５０ｍＭ（１５０ｍｏｌ／ｍ３）の塩化ナトリウム（和光純薬工業社製）を含む）を用意し、溶液１５に作用電極９、参照電極５、対極７を浸漬し、配線１１を通じてこれらの電極を測定装置１３としてのＩｖｉｕｍ社製ＣｏｍｐａｃｔＳｔａｔに接続し、電気化学測定装置３を作製した。
【０１２５】
測定は指示電解質溶液に対するサイクリックボルタンメトリ測定を行った。
【０１２６】
測定条件は−１．５Ｖ〜＋１．５Ｖの範囲を０．０１Ｖ／ｓで１回掃引するものである。
【０１２７】
０〜１．５Ｖを掃引したときの電流値の結果を図５に示す。
【０１２８】
図５に示すように、イリジウムとジルコニウムの原子比率が７９：２１のときに電位窓が拡大することが確認された。その値は１００：０（イリジウムのみを用いた電極）の場合に近く、イリジウム単体の特性と良く似ることが示された。
【０１２９】
以上の結果から、イリジウムの含有量を減らし、その分、価格の安いジルコニウムを添加できるため低コストで過酸化水素を検出可能（過酸化水素に対して電流出力を生じさせることが可能）な電極を提供できることがわかった。
【０１３０】
（実施例２）
イリジウムとジルコニウムの原子比率が１００：０，７９：２１，０：１００の電極をそれぞれ実施例１と同様に製作し、同様に作用電極９として実験に供試した。
【０１３１】
つづいて、実施例１の指示電解質に終濃度として２．４７ｍＭ（２．４７ｍｏｌ／ｍ３）の過酸化水素（関東化学社製）および１０ｍＭ（１０ｍｏｌ／ｍ３）のアスコルビン酸（和光純薬工業社製）に対する定電位測定を行った。測定は前述の作用電極９を前述の指示電解質に浸漬し、０．７Ｖの電位を印加後，定常状態となるまで放置した（約５分間）。
【０１３２】
その後、終濃度として前述の濃度となるように過酸化水素ならびにアスコルビン酸をそれぞれ添加した。
【０１３３】
応答電流値は過酸化水素ならびにアスコルビン酸から得られる電流値から定常状態の電流値の差とした。結果を図６に示す。
【０１３４】
図６のグラフは縦軸にマイクロアンペアの応答電流値が、横軸に作用電極９の組成がそれぞれ示されている。
【０１３５】
その結果、本実施例のイリジウム−ジルコニウム合金の作用電極９は、イリジウム単体と同様に過酸化水素とアスコルビン酸に反応し、さらに反応効率が向上することがわかった。
【０１３６】
即ち、ジルコニウムを添加することにより、過酸化水素およびアスコルビン酸の応答電流値が増加することがわかった。
【０１３７】
以上の結果から、イリジウムとジルコニウムの合金が、アンペロメトリック型のバイオセンサの電極として好適に使用できることがわかった。
【０１３８】
（実施例３）
実施例２で用いた電極のうち、イリジウムとジルコニウムの原子比率が１００：０と７９：２１の２種類の電極を用意し、０．１Ｍ（１００ｍｏｌ／ｍ３）の硫酸ナトリウム溶液中で電気化学クリーニングを行った。
【０１３９】
クリーニング条件は−１．５Ｖ〜＋１．５Ｖの範囲を０．５Ｖ／ｓで１００回掃引するものである。
【０１４０】
つづいて、純水で１ｖ／ｖ％に希釈したガンマ−アミノプロピルトリエトキシシラン（信越化学社製）を電極表面にスピンコートし、１１０℃で乾燥させた。
【０１４１】
つづいて、前出した指示電解質溶液で調整した牛アルブミン溶液（和光純薬工業社製）と純水で０．５ｖ／ｖ％に調整したグルタルアルデヒド溶液（アルドリッチ社製）、および３７６．７Ｕ／μｌに調整したグルコース酸化酵素を混合し、すみやかに同様にスピンコートし、グルコース酵素センサ（バイオセンサ用電極）を製作した。
【０１４２】
つづいて、終濃度として１０ｍｇ／ｄｌ（０．１×１０−３ｋｇ／ｌ）グルコース（和光純薬工業社製）に対する定電位測定を行った。
【０１４３】
測定は前述の電極（参照電極と対極）とバイオセンサ用電極を指示電解質に浸漬し、０．７Ｖの電位を印加後、定常状態となるまで放置した（約５分間）。
【０１４４】
その後、終濃度として前述の濃度となるようにグルコース溶液を添加した。
【０１４５】
グルコースの添加後に得られる電流値から定常状態の電流値の差とした。
【０１４６】
なお、印加電位は０．７Ｖとした。
【０１４７】
上記測定を１０回繰り返し、以下の式を用いて繰り返し再現性の値を計算し、比較を行った。
【０１４８】
繰り返し再現性の値（％）＝（電流値の標準偏差／電流値の平均値）×１００…（式）
【０１４９】
その結果、繰り返し再現性は、１００：０の電極を用いたバイオセンサ用電極が２．９％、７９：２１の電極を用いたバイオセンサ用電極が２．７％を示し、ジルコニウム添加によるセンサ特性の低下が生じないことがわかった。
【０１５０】
（実施例４）
初めに実施例３で記載したバイオセンサ用電極を製作した。
【０１５１】
つづいて、バイオセンサ用電極を前述の指示電解質溶液中に保管し、一定時間ごとに１０ｇ／ｄｌ（０．１ｋｇ／ｌ）グルコースに対する応答電流を測定し長期使用寿命を評価した。
【０１５２】
測定条件は実施例３と同様である。
【０１５３】
評価方法は毎日前述の測定を行い、２日間毎に１４日間測定を続けた。
【０１５４】
結果を図７に示す。
【０１５５】
なお、図７において、黒い丸がイリジウムのみの電極（１００：０の電極）を用いて製作されたバイオセンサ用電極の電流値、黒い四角がイリジウムとジルコニウムの原子比率が７９：２１の電極を用いて製作されたバイオセンサ用電極の電流値であり、初日の電流値を１００％とした相対電流値が記載されている。
【０１５６】
その結果、図７から明らかなように、１００：０の電極を用いたバイオセンサ用電極、および７９：２１の電極を用いたバイオセンサ用電極ともにほとんど電流値が変動せず、極めて安定していることがわかった。
【０１５７】
そのため、電極材料としてイリジウムにジルコニウムを添加しても、長期使用寿命に影響を与えないことがわかった。
【０１５８】
以上のように、本発明によれば、白金電極またはイリジウム単体の電極（もしくはカーボン電極）の代替材料としてイリジウム−ジルコニウム合金の電極が適用できることがわかった。
【０１５９】
また、この電極を用いてバイオセンサ用電極を製作した場合、白金電極またはイリジウム単体の電極（もしくはカーボン電極）と同様に測定できるバイオセンサを提供できることもわかった。
【産業上の利用可能性】
【０１６０】
上記した実施形態および実施例では、イリジウムとジルコニウムを含有する電極を、過酸化水素濃度を測定する電気化学測定装置３に適用した場合について説明したが、本発明は、何等、これに限定されることなく、イリジウムとジルコニウムを含有する電極に対して選択的酸化性を有する全ての物質の濃度の測定装置に適用できる。
【図面の簡単な説明】
【０１６１】
【図１】電気化学測定装置３を示す模式図である。
【図２】図２（ａ）は、バイオセンサ３ａを示す模式図であって、図２（ｂ）は、図２（ａ）の作用電極９ａ（バイオセンサ用電極４）の縦断面図を示す図である。
【図３】バイオセンサ３ｂを示す模式図である。
【図４】図３のバイオセンサ用電極４ａのＡ方向から見た断面図である。
【図５】実施例１の実験結果を示す図である。
【図６】実施例２の実験結果を示す図である。
【図７】実施例４の実験結果を示す図である。
【符号の説明】
【０１６２】
１…………電気化学測定装置用電極
３…………電気化学測定装置
３ａ………バイオセンサ
３ｂ………バイオセンサ
４…………バイオセンサ用電極
５…………参照電極
６…………固定化触媒層
７…………対極
９…………作用電極
１１………配線
１３………測定装置
１５………溶液
２３………絶縁基板
２４………結合層
【図１】
2010112843.tif 000002
【図２】
2010112843.tif 000003
【図３】
2010112843.tif 000004
【図４】
2010112843.tif 000005
【図５】
2010112843.tif 000006
【図６】
2010112843.tif 000007
【図７】
2010112843.tif 000008